(57)【要約】【課題】  レンズの脚部をハウジングの溝部に組み付けた際のシール性を向上した乗り物用灯具を提供する。【解決手段】  光源を略中央に支持すると共に周囲に溝部４を形成してなるハウジング３と、該ハウジング３の開口全体を覆い且つ前記溝部４内に挿入され且つ該溝部４に充填したシール材６により脚部８を支持することで灯室を覆うレンズ７とよりなり、溝部４は、レンズ７の内側に配される内壁１０と、レンズ７の外側に配される外壁１１と、内壁１０および外側１１の底部１２とよりなり、溝部４には、レンズ７の脚部８の内面を保持可能なる位置決め部１３が形成されてなる乗り物用灯具１であって、位置決め部１３は、溝部４の底部１２より上方の内壁１０に外方に向けて形成してなる。【選択図】        図２
2007103128.tif 000002
【特許請求の範囲】
【請求項１】
光源を支持すると共に周囲に溝部を形成してなるハウジングと、該ハウジングの開口全体を覆い且つ前記溝部内に挿入され且つ該溝部に充填したシール材により脚部を支持することで灯室を覆うレンズとより少なくとも構成されてなる乗り物用灯具であって、
前記溝部には、前記溝部の底部より上方の内壁に外方に向けて位置決め部を形成してなることを特徴とする乗り物用灯具。
【請求項２】
請求項１に記載の乗り物用灯具であって、
前記レンズの外側に突出した支持部は、前記外壁の自由端部に係止した状態で前記レンズの脚部の自由端部と底部との間に前記シール材が介在可能なる空間部が形成されてなることを特徴とする乗り物用灯具。
【請求項３】
請求項１に記載の乗り物用灯具であって、
前記レンズの外側に突出した支持部は、前記内壁の位置決め部に対向した位置の外壁に形成した係止穴に係止した状態で前記レンズの脚部の自由端部と底部との間に前記シール材が介在可能なる空間部が形成されてなることを特徴とする乗り物用灯具。
【発明の詳細な説明】
【技術分野】
【０００１】
本発明は、自動車、車両、船舶、航空機などの乗り物用灯具に関するものである。
【背景技術】
【０００２】
一般に乗り物用灯具は、光源を略中央に支持すると共に周囲に溝部を形成してなるハウジングと、該ハウジングの開口全体を覆い且つ前記溝部内に挿入され且つ該溝部に充填したシール材により脚部を支持することで灯室を覆うレンズとより少なくとも構成されてなり、前記溝部には、前記レンズの脚部の内面を保持可能なる位置決め部が形成されてなる（例えば、特許文献１参照。）。
【特許文献１】実開昭５８−１４８８０５号公報
【発明の開示】
【発明が解決しようとする課題】
【０００３】
しかしながら、このような従来の技術にあっては、予めハウジング溝内に充填されたシール材によりレンズの脚部をハウジングの溝部に組み付けた際に、レンズ脚部が位置決め部によって擦れることにより、シール材が剥がされて、シール効果が低減されるおそれがあり、改善が求められている。
【０００４】
本発明は、このような従来の技術に着目してなされたものであり、レンズの脚部をハウジングの溝部に組み付けた際のシール性を向上した乗り物用灯具を提供するものである。
【課題を解決するための手段】
【０００５】
請求項１に記載の発明は、光源を略中央に支持すると共に周囲に溝部を形成してなるハウジングと、該ハウジングの開口全体を覆い且つ前記溝部内に挿入され且つ該溝部に充填したシール材により脚部を支持することで灯室を覆うレンズとより少なくとも構成されてなり、前記溝部は、レンズの内側に配される内壁と、レンズの外側に配される外壁と、内壁および外側の底部とよりなり、前記溝部には、前記レンズの脚部の内面を保持可能なる位置決め部が形成されてなる乗り物用灯具であって、前記位置決め部は、前記溝部の底部より上方の内壁に外方に向けて位置決め部を形成してなることを特徴とする。
【０００６】
請求項２に記載の発明は、請求項１に記載の乗り物用灯具であって、前記レンズの外側に突出した支持部は、前記外壁の自由端部に係止した状態で前記レンズの脚部の自由端部と底部との間に前記シール材が介在可能なる空間部が形成されてなることを特徴とする。
【０００７】
請求項３に記載の発明は、請求項１に記載の乗り物用灯具であって、前記レンズの外側に突出した支持部は、前記内壁の位置決め部に対向した位置の外壁に形成した係止穴に係止した状態で前記レンズの脚部の自由端部と底部との間に前記シール材が介在可能なる空間部が形成されてなることを特徴とする。
【発明の効果】
【０００８】
請求項１に記載の発明によれば、前記位置決め部は、前記溝部の底部より上方の内壁に外方に向けて形成してなるため、位置決め部によってシール材が溝部内に充填するのが阻止されることがなく、レンズの脚部をハウジングの溝部に組み付けた際のシール性を著しく向上することができる。位置決め部が内壁より外方に向けて形成してなることで、アンダーカットとならず、成形型の安価化を図ることができる。
【０００９】
請求項２に記載の発明によれば、前記レンズの外側に突出した支持部は、前記外壁の自由端部に係止した状態で前記レンズの脚部の自由端部と底部との間に前記シール材が介在可能なる空間部が形成されてなるため、溝部の底部に形成されてなる空間部を利用してシール材が介在可能であるから、レンズの脚部をハウジングの溝部に組み付けた際のシール性を著しく向上することができる。
【００１０】
請求項３に記載の発明によれば、前記レンズの外側に突出した支持部は、前記内壁の位置決め部に対向した位置の外壁に形成した係止穴に係止した状態で前記レンズの脚部の自由端部と底部との間に前記シール材が介在可能なる空間部が形成されてなるため、溝部の底部に形成されてなる空間部を利用してシール材が介在可能であるから、レンズの脚部をハウジングの溝部に組み付けた際のシール性を著しく向上することができる。支持部と係止穴とが係止することで、シール材によるレンズの支持強度以上の支持強度が得られることになる。
【発明を実施するための最良の形態】
【００１１】
本発明は、レンズの脚部をハウジングの溝部に組み付けた際のシール性を向上した乗り物用灯具を提供するという目的を、光源を支持すると共に周囲に溝部を形成してなるハウジングと、該ハウジングの開口全体を覆い且つ前記溝部内に挿入され且つ該溝部に充填したシール材により脚部を支持することで灯室を覆うレンズとより少なくとも構成されてなる乗り物用灯具であって、前記溝部には、前記溝部の底部より上方の内壁に外方に向けて位置決め部を形成してなることで、実現した。以下、本発明の実施例を図面に基づいて説明する。
【実施例１】
【００１２】
図１〜図３は、本発明の第１実施例を示す図である。この実施例に係る乗り物用灯具１は、光源２を略中央に支持すると共に周囲に溝部４を形成してなるハウジング３と、該ハウジング３の開口５全体を覆い且つ前記溝部４内に挿入され且つ該溝部４に充填したホットメルトなどのシール材６により脚部８をシールすることで灯室９を覆うレンズ７とより構成されてなる。該構成について、「少なくとも」としたのは、シェードやリフレクタなど灯具１としての要求される機能を満足するために必要な機器が設けられるが、この発明ではこうした構成を説明する必要性が乏しいので省略し、かかる表現を用いた。
【００１３】
前記溝部４は、レンズ７の内側、つまり灯室９側に配される内壁１０と、レンズ７の外側に配される外壁１１と、内壁１０および外側１１の底部１２とより断面矩形に形成されてなる。
【００１４】
前記溝部４の内壁１０には、前記レンズ７の脚部８の内面８ａを保持可能なる位置決め部１３が形成されてなり、前記位置決め部１３は、前記溝部４の底部１２より上方（図１乃至図３での上方、つまり底部１２より離れている位置のことであり、開口５側のことでもある。）の内壁であり且つ外方（図２，図３での左方のことである。）に向けて小山状（断面半球状）に形成してなる。位置決め部１３の外方側に配される前記外壁１１には、図３に示す成形型１６をスライドさせた跡となる係止穴１７が形成されてなる。
【００１５】
そして、前記レンズ７の外側に突出した支持部１４は、前記外壁１１の自由端部１１ａに係止した状態で前記レンズ７の脚部８の自由端部８ｂと底部１２との間に前記シール材６が介在可能なる空間部１５が形成されてなる。
【００１６】
かかるこの実施例によれば、前記位置決め部１３は、前記溝部４の底部１２より上方の内壁１０に外方に向けて形成してなるため、位置決め部１３によってシール材６が溝部４内に充填するのが阻止されることがなく、十分に充填することができるので、レンズ７の脚部８をハウジング３の溝部４に組み付けた際のシール性を著しく向上することができる。位置決め部１３が内壁１０より外方に向けて形成してなることで、アンダーカットとならず、成形型１６の安価化を図ることができる。
【００１７】
また、前記レンズ７の外側に突出した支持部１４は、前記外壁１１の自由端部１１ａに係止した状態で前記レンズ７の脚部８の自由端部８ｂと底部１２との間に前記シール材６が介在可能なる空間部１５が形成されてなるため、溝部４の底部１２に形成されてなる空間部１５を利用してシール材６が介在可能であるから、レンズ７の脚部８をハウジング３の溝部４に組み付けた際のシール性を著しく向上することができる。
【実施例２】
【００１８】
図４は、本発明の第２実施例を示す図である。この実施例に係る乗り物用灯具２０は、レンズ２１の外側に突出した支持部２２は、前記内壁１０の位置決め部１３に対向した位置の外壁１１に形成した係止穴１７に係止した状態で前記レンズ２１の脚部２３の自由端部２３ａと底部１２との間に前記シール材６が介在可能なる空間部１５が形成されてなる。
【００１９】
前記レンズ２１は、脚部２３に形成された支持部２２の形成されてなる位置が、前記レンズ２１の脚部８に形成された支持部２２の位置と異なることで、係止穴１７への係止が可能となるのである。
【００２０】
かかる、この実施例によれば、前記レンズ２１の外側に突出した支持部２２は、前記内壁１０の位置決め部１３に対向した位置の外壁１１に形成した係止穴１７に係止した状態で前記レンズ２１の脚部２３の自由端部２３ａと底部１２との間に前記シール材６が介在可能なる空間部１５が形成されてなるため、溝部４の底部１２に形成されてなる空間部１５を利用してシール材６が介在可能であるから、レンズ２１の脚部２３をハウジング３の溝部４に組み付けた際のシール性を著しく向上することができる。支持部２２と係止穴１７とが係止することで、シール材６によるレンズ２１の支持強度以上の支持強度が得られることになる。
【産業上の利用可能性】
【００２１】
この実施例では、乗り物用灯具１としてヘッドランプを例にした図面を示したが、これに限定されるものではなく、テールランプ、ストップランプなどのリアランプでも良い。また、位置決め部１３は、小山状（断面半球状）と説明したが、これに限定されるものではなく、三角錐、四角錐でも良い。
【図面の簡単な説明】
【００２２】
【図１】本発明の第１実施例に係る乗り物用灯具を上から見た概略断面図。
【図２】図１の乗り物用灯具のレンズとハウジングとの取り付け部を示す拡大断面図。
【図３】図２の位置決め部の成形方法を示す概略断面図。
【図４】本発明の第２実施例に係る図２相当の概略断面図。
【符号の説明】
【００２３】
１、２０  乗り物用灯具
２  光源
３  ハウジング
４  溝部
５  ハウジングの開口
６  シール材
７、２１  レンズ
８、２３  レンズの脚部
８ｂ，２３ａ  脚部の自由端部
９  灯室
１０  溝部の内壁
１１  溝部の外壁
１１ａ  外壁の自由端部
１２  溝部の底部
１３  位置決め部
１４、２２  支持部
１５  空間部
１６  成形型
１７  係止穴
【図１】
2007103128.tif 000003
【図２】
2007103128.tif 000004
【図３】
2007103128.tif 000005
【図４】
2007103128.tif 000006